(57)【要約】【課題】  簡単な作業によって、枠体に対する障子の建付状態を確認して、障子の当たりを均一に建付けて、建具が持つ本来の気密性能を発揮させる。【解決手段】  内障子及び外障子を開けた状態で、縦枠の長手方向の少なくとも三カ所に付箋紙の一端側部分を貼り付けて、付箋紙の他端側部分が縦枠の内周に配置されるように取り付け、内障子及び外障子を閉めて、付箋紙の他端側部分を縦枠と戸先框で挟み、クレセントを施錠し、縦枠から付箋紙の一端側部分をはがし、縦枠と戸先框で挟まれた他端側部分を引き抜き、長手方向の複数箇所に配置された付箋紙の引き抜き抵抗が同じ程度であるか否か、引き抜き抵抗が適当か否かを確認して、引き抜き抵抗が同じ程度ではない場合及び引き抜き抵抗が適当でない場合には、外障子の召合框に固定されたクレセント受けの見付け方向左右位置もしくは内障子及び外障子の左右の戸車の高さ位置を調節する。【選択図】図４
2018031223.tif 000002
【特許請求の範囲】
【請求項１】
下記の行程１ないし５を、枠体に対する障子の当たりが適当となるまで繰り返すことを特徴とする建具の建付確認方法。
行程１：障子を開けた状態で、縦枠の長手方向の少なくとも三カ所に付箋紙の一端側部分を貼り付けて、付箋紙の他端側部分が縦枠の内周に配置されるように取り付ける。
工程２：障子を閉めて、付箋紙の他端側部分を縦枠と戸先框で挟み、クレセントを施錠する。
工程３：縦枠から付箋紙の一端側部分をはがし、縦枠と戸先框で挟まれた他端側部分を引き抜く。
工程４：長手方向の複数箇所に配置された付箋紙の引き抜き抵抗が同じ程度であるか否か、引き抜き抵抗が適当か否かを確認する。
工程５：引き抜き抵抗が同じ程度ではない場合又は引き抜き抵抗が適当でない場合には、障子の框に固定されたクレセント受けの見付け方向左右位置もしくは障子の左右の戸車の高さ位置を調節する。
【発明の詳細な説明】
【技術分野】
【０００１】
建物開口部に配置された枠体に対して、引違い式のサッシ障子を良好に建付けるための建付確認方法に関する。
【背景技術】
【０００２】
建物開口部に配置される引違い建具は、枠体の下枠に設けられた室内外のレールによって室内外の障子の下框に配置した戸車を案内して開閉され、召合框に設けたクレセントによって、施錠され閉鎖状態を維持するように構成されている。
引違い障子による閉鎖状態においては、室内外の障子の戸先框と縦枠とは引寄手段等によって引き寄せられ適当な強さの当たりを維持することで、枠体の縦枠に対する障子の戸先框の良好な密閉状態を維持することができ、かつ、枠体の縦枠の高さ方向の複数位置における当たり強さを均一にすることにより枠と障子との気密性、遮音性を良好に保つことができる。
【０００３】
そして、枠と障子との当たりを調整するために、外障子の召合框に対するクレセント受けの見付け方向左右位置を調節したり、外障子及び内障子の戸車の高さ位置を調節したりして、枠体に対する障子の当たりを調節しているが、特に、建付けを確認するための技術はなかった。
【発明の概要】
【発明が解決しようとする課題】
【０００４】
障子の当たりの調整をするに際して、障子の召合せ部におけるクレセント錠の取付け位置は建具個々によって異なっており、また、クレセントの高さ位置が異なれば施錠時に内障子及び外障子にかかる力も異なり、障子の戸先框と縦枠との当たりの強さを上下でバランスさせることは難しかった。しかも、枠と障子との当たりを外見から判断することは難しく、当たりの確認には熟練が必要であって、施工者にかかわりなく、常に、適当な当たりで施工して建具が持つ本来の遮音性能を発揮することは難しかった。
【０００５】
本発明は、上記の事情を鑑み、熟練を必要とすることなく、障子の施錠時における枠体に対する当たりを適当にすることができる建具の建付確認方法を提供することを目的とする。
【課題を解決するための手段】
【０００６】
本発明は、下記の行程１ないし５を、枠体に対する障子の当たりが適当となるまで繰り返すことを特徴とする。
行程１：障子を開けた状態で、縦枠の長手方向の少なくとも三カ所に付箋紙の一端側部分を貼り付けて、付箋紙の他端側部分が縦枠の内周に配置されるように取り付ける。
工程２：障子を閉めて、付箋紙の他端側部分を縦枠と戸先框で挟み、クレセントを施錠する。
工程３：縦枠から付箋紙の一端側部分をはがし、縦枠と戸先框で挟まれた他端側部分を引き抜く。
工程４：長手方向の複数箇所に配置された付箋紙の引き抜き抵抗が同じ程度であるか否か、引き抜き抵抗が適当か否かを確認する。
工程５：引き抜き抵抗が同じ程度ではない場合又は引き抜き抵抗が適当でない場合には、障子の框に固定されたクレセント受けの見付け方向左右位置もしくは障子の左右の戸車の高さ位置を調節する。
【発明の効果】
【０００７】
本発明により、簡単な作業によって、枠体に対する障子の当たりの状態を確認することができ、施工者の熟練度にかかわりなく、障子を均一に建付けることができ、建具が持つ本来の気密性能、遮音性能を発揮することができる。
【図面の簡単な説明】
【０００８】
【図１】本発明の実施形態に係る建付確認方法に用いる引違い建具の図であり、（ａ）は障子を少し開いた状態を室内側から見た正面図であり、（ｂ）は（ａ）のＸ部分のクレセント受けの拡大図である。
【図２】本発明の実施形態に係る建付確認方法に用いる引違い建具の図であり、（ａ）は障子を少し開いた状態を室内側から見た正面図であり、（ｂ）は（ａ）のＹ部分の戸車の拡大図である。
【図３】本発明の実施形態に係る建付確認方法に用いる引違い建具の図であり、（ａ）は障子を開いた状態を室内側から見た正面図であり、（ｂ）は障子を開いた状態における外障子の戸先框と左縦枠の当接部分の拡大図である。
【図４】本発明の実施形態に係る建付確認方法に用いる引違い建具の図であり、（ａ）は障子を閉じた状態を室内側から見た正面図であり、（ｂ）は障子を閉じた状態における外障子の戸先框と左縦枠の当接部分の拡大図である。
【発明を実施するための形態】
【０００９】
本発明の建付確認方法は、建物開口部に建具を施工した後にクレセント受けや障子の戸車の高さ位置を調整して枠体に対する障子の当たりを調整する際に使用することができ、特別な技術を要することなく、障子の当たりを簡単に、かつ正確に調整することができる方法である。
以下に、本発明の実施形態に係る建付確認方法を、引違い建具の建付確認方法として用いた例を用いて、図面を参照して説明する。
【００１０】
本実施形態の建付確認方法を説明するために用いられる引違い建具は、建物の開口部に固定された枠体１に対して、内障子２及び外障子３が引違い自在に配置されてなり、図１（ａ）に示すように、内障子２の召合框２３の下方位置の外周面に取り付けられたクレセント錠８１と外障子３の召合框３４に取り付けられたクレセント受け８２によって施錠するように構成されている。
また、図２（ａ）に示すように、内障子２及び外障子３の下框２２，３２には、戸車７１、７２（図においては、内障子の戸車のみを示す。）が配置されており、枠体１の下枠１２に形成された内、外下レール上に載置されることで、枠体１に対して内障子２及び外障子３が左右方向に走行可能となっている。
そして、内、外障子２，３の閉鎖状態においてクレセント受け８２にクレセント錠８１の係合爪を係合することにより、内、外障子２，３の閉鎖状態を維持することができる。
【００１１】
枠体１内に配置された内障子２及び外障子３の閉鎖状態における枠体１に対する当たり具合の調整は、クレセント受け８２及び戸車７の取り付け状態を調整することにより行うことができる。
【００１２】
クレセント受け８２は、図１（ｂ）に示すように、内周端に爪部８２１ａを有し、爪部８２１ａの左右方向の反対側に取付脚８２１ｂ，８２１ｂを有するクレセント受け本体８２１と、クレセント受け本体８２１を外障子３の召合框３４に固定するための裏板８２２と、召合框３４の室内側壁の室外側面に裏板８２２を固定するための裏板固定ネジ８２３と、裏板８２２に対してクレセント受け本体８２１を固定する調整ネジ８２４，８２４とを備えている。
クレセント受け本体８２１の取付脚８２１ｂ，８２１ｂには、左右方向に長い取付長孔８２１ｃ，８２１ｃが形成されており、クレセント受け本体８２１は取付長孔８２１ｃ，８２１ｃを介して左右方向に位置調整が可能であって、調整ネジ８２４，８２４によって適宜の位置で裏板８２２に固定することができる。
【００１３】
クレセント受け８２の位置調整は、調整ネジ８２４，８２４と裏板固定ネジ８２３を緩め、その状態で  クレセント受け８２の左右位置を調整した後に、緩めた調整ネジ８２４，８２４と裏板固定ネジ８２３を締め付けることにより行うことができ、外障子３の召合框３４に対するクレセント受け８２の左右位置を調整することにより、障子の閉鎖時における枠体１の縦枠１３，１４と内外障子２，３の戸先框２４，３３の当たり強さを調整することができる。
なお、クレセント受け８２の位置調整機構は、上記実施形態の機構に限定されるものではなく、クレセントの係合位置を調整でき、障子の当たり強さを調整できるものであれば、特に限定されるものではない。
【００１４】
一方、戸車７１は、図２（ｂ）に示すように、内、外障子２、３の下框２２，３２の内部に固定される戸車ケース７１１と、戸車ケース７１１の内側に軸７１１ａを支点に回動自在に取り付けられる回動脚部７１２と、回動脚部７１２に回転自在に保持される車輪７１３を備えている。
戸車ケース７１１の外周側壁部７１１ｂには調整ネジ７１４が取り付けられており、調整ネジ７１４を回動させて先端部を回動脚部７１２の外周側壁部に当接させることで回動脚部７１２の軸７１１ａ周りの回動を規制して、車輪７１３の高さ位置を調整している。
【００１５】
内、外障子２，３の戸車７１，７２の高さ位置の調整は、内、外障子２，３の外周側からドライバーｄにより左右の戸車７１，７２の調整ネジ７１４、７２４を回転させて行うことができ、戸車７１，７２の高さ位置の調整をすることで、内障子２及び外障子３の水平具合、すなわち枠体１の左、右縦枠１３，１４に対する内、外障子２，３の戸先框２４，３３の上下方向における当たりの均一性を調整することができる。
なお、戸車７の調整機構は、上記実施形態の機構に限定されるものではなく、戸車７の高さ位置を調整でき、障子の水平具合を調整できるものであれば、特に限定されるものではない。
【００１６】
以上のように、内、外障子２，３のクレセント受け８２の左右位置及び戸車７の高さ位置を調整することにより、枠体に対する障子の当たり具合を調整することができるが、クレセント受け８２や戸車７の位置を単に枠体に障子を強く押し当てるように調整するだけでは、サッシに用いられている気密材等による十分な遮音性能等を発揮することができず、また、劣化を早める可能性もあり好ましくない。
そこで、本発明では、サッシ本来の遮音性能を発揮するために、紙片を用いた確認方法を採用することで、常に最適な当たり具合を実現することを可能にした。以下に詳細に説明する。
【００１７】
（建具の建付調整方法）
本発明の建付調整方法は、枠体１に対して内、外障子２，３を配置した後に行うことができる。
まず、内、外障子２，３の開閉状態において、枠体１の縦枠１３，１４と内、外障子２，３との間隔を仮調整する。（なお、図面では、外障子３についてのみ記載している。）
例えば、図３（ａ）に示すように、クレセント８の高さ位置が召合框２３の中心高さよりも低い建具の場合には、縦枠１４と戸先框２４は上端付近の間隔Ａよりもクレセント８の高さ位置付近の間隔Ｃの方が大きくなるように、すなわち下方に行くにしたがって間隔が大きくなるよう（間隔Ａ＜間隔Ｂ＜間隔Ｃ）に、クレセント受け８２もしくは戸車７の位置調整により枠体に対する障子の当たりを仮調整する。
なお、仮調整においては、例えば間隔Ａと間隔Ｂとの差は、１ｍｍ以内が適当である。
【００１８】
仮調整が行われた建具の開放状態において、図３（ｂ）の上の付箋紙５１に示すように、付箋紙５（紙片の一端側の一面に貼着自在な糊が付けられたもの）の糊がついた一端側部分５ａを、内、外障子２，３の戸先框２４，３３が当接する縦枠１３，１４の室内側部分に貼り付ける。図３（ｂ）に示す本実施形態の建具においては、障子を閉鎖して施錠することにより、左枠体１３の引寄片１３２の室内側の傾斜面１３２ａに対して戸先框３３の引寄片３３１が当接して、外障子３が室内側に引き寄せられ室内側面が気密材保持片１３１に保持された気密材に当たるように構成されており、付箋紙５１は気密材保持片１３１の室内側面に貼り付けている。
なお、付箋紙５を取り付ける部位は、気密材保持片１３１に限るものではなく、障子の閉鎖後に作業者によって剥がして引っ張ることができる部位であれば、室内側、室外側のいずれのどの部位でもよい。
付箋紙５は、縦枠１３の高さ方向複数箇所（例えば、三カ所。）に貼り付ける。
【００１９】
そして、縦枠１３に貼り付けた付箋紙５の他端側部分５ｂを矢印ｘに示すように室外側に折り曲げて、図３（ｂ）の下の付箋紙５２に示されているように、付箋紙５の他端側部分５ｂを気密材保持片１３１に保持される気密材の室外側に配置させる。この状態で外障子３を閉めて、縦枠１３の気密材保持片１３１に保持された気密材と外障子３によって付箋紙５の他端側部分５ｂを挟み、確実に挟まれていることを確認して、クレセント８によって施錠する。
なお、右縦枠１４と内障子２の戸先框２４についても、同様に付箋紙５を配置して、縦枠１４と内障子２とによって付箋紙５が確実に挟まれていることを確認しておく。
【００２０】
そして、図４（ａ）に示すように、クレセント８によって施錠された内、外障子２、３の縦枠１３，１４から、縦枠１３，１４と戸先框２４，３３との間に挟まれた付箋紙５の一端側部分５ａを剥がして、図４（ｂ）に示すように、一端側部分５ａをつまんで他端側部分５ｂを引き抜く。このとき、縦枠１３，１４の長手方向の複数箇所において気密材と外障子３とによって挟まれた付箋紙５，５・・の引き抜き抵抗が同程度か否か、また、引き抜き抵抗が適当か否かを確認する。
引き抜き抵抗の確認には、小指と薬指とで挟んで引っ張ることによって引き抜けるか否かなどの適宜の方法で確認すればよいが、確認する建具に応じて付箋紙５の材料（強度）を選択して付箋紙５が破れずに引き抜けるか否かなどによって判断しても良い。少なくとも付箋紙が枠体１と障子２，３との間から引き抜くことにより破れる状態、また、付箋紙５の一端側部分５ａを剥がすことによって付箋紙５が落下したり、ずれたりしてしまう状態では、当たり具合が適当でないことが確認できる。
【００２１】
そして、例えば付箋紙５を引き抜く前に落下してしまうような枠体１と障子２，３との当たりが弱い場合には、クレセント受け８２の位置を図１（ｂ）の矢印ｙ２方向（右方向）に移動させて障子の引き分けを強く調整して、戸先框の当たり具合を強めに調整し、反対に枠体１と障子２，３との当たりが強い場合には、クレセント受け８２の位置を図１（ｂ）の矢印ｙ１方向（左方向）に移動させて障子の引き分けを弱く調整して、戸先框の当たり具合を弱めに調整すればよい。
また、上下の付箋紙５，５・・で引き抜き抵抗が異なる場合には、例えば図３（ａ）の間隔Ａの部分の抵抗が小さい場合には、間隔Ａが小さくなるように内障子２の召合側の戸車７１が下方に位置変更するように、もしくは戸先側の戸車７２が上方に位置変更するように戸車７の高さ位置を調整することで、最適な当たり具合を実現することができる。
以上の付箋紙５による当たり具合の確認、及び、クレセント受け及び戸車の位置調整を繰り返すことにより、最適な当たり具合を実現することができる。
【００２２】
（本実施形態の効果の検証）
本実施形態の建付確認方法の効果を確認するために、クレセント受けの調整を行わなかった建具（引違い窓）の評価結果（表1）と本発明を用いて建付調整を行った建具の評価結果（表2）とを、以下に示す。
【００２３】
【表１】
2018031223.tif 000003
【００２４】
【表２】
2018031223.tif 000004
【００２５】
上記表１，表２から分かるように、クレセント受けの調整を行わないサッシの遮音性能がＴ２等級であったのに対して、本発明の建付確認方法を用いたサッシの遮音性能はＴ３等級へ向上しており、優れた効果を発揮することが確認できた。
【００２６】
以上のように、本実施形態の建付確認方法においては、目視等に頼ることなく、枠体と障子との間に紙片を挟んで引き抜くことにより、枠体と障子との当たりを紙片により直接体感することができるので、当たりの不具合を確実に検出することができる。
特に、当たりの具合が極端に悪い状況においては、紙片が破れたり、もしくは落ちたりゆがんだりすることで、誰にでも分かるような状態が示されるので、全く経験の無い作業者であっても、ある程度の当たりを確認することができる。
【００２７】
また、紙片として、一端側に糊が付着された付箋紙を使うことで、建付確認を1人で行うことができ、作業効率がよく、施錠された状態での当たり具合を確認できるので、実際に使用している状態での当たりが確認できて、閉鎖時における遮音性能を維持することができる。
なお、枠体に対する障子の引寄手段は、枠体と框材に設けた引寄片に限るものではなく、縦框に枠体の引寄片に当接する引寄ブロックを配置したものなど、どのような引寄手段であってもよい。
【符号の説明】
【００２８】
１        ：枠体
２        ：内外障子
３        ：外障子
５        ：付箋紙
５ａ      ：一端側部分
５ｂ      ：他端側部分
７        ：戸車
７１      ：戸車
７２      ：戸車
８        ：クレセント
８１      ：クレセント錠
８２      ：クレセント受け
【図１】
2018031223.tif 000005
【図２】
2018031223.tif 000006
【図３】
2018031223.tif 000007
【図４】
2018031223.tif 000008